(57)【要約】      （修正有）【課題】幼児のお昼寝用布団を収納・携帯する袋であって、手で下げることも背負うこともできる寝具収納携帯バッグを提供する。【解決手段】横長直方体形状の寝具収納携帯バッグ１であって、撥水性又は防水性を有する素材から成り、開閉部材を取り付けた、左右側面から上面にわたるマチ部と、上面を覆う蓋部を有し、提げ手を寝具収納携帯バッグ１本体の長辺方向と短辺方向に取り付け、短辺方向の提げ手１０を介して背負いベルト７を着脱自在に取り付ける、背負いベルト連結部材８、８’を寝具収納携帯バッグ１本体に取り付けた。【選択図】図２
0003218982.tif 000002
【実用新案登録請求の範囲】
【請求項１】
横長直方体形状の寝具収納携帯バッグであって、
開閉部材を取り付けた、左右側面から上面にわたるマチ部と、
上面を覆う蓋部を有し、
提げ手を長辺方向と短辺方向に取り付け、
短辺方向の提げ手を介して背負いベルトを着脱自在に取り付けたことを特徴とする寝具収納携帯バッグ。
【請求項２】
撥水性又は防水性を有する素材から成る請求項１記載の寝具収納携帯バッグ。
【考案の詳細な説明】
【技術分野】
【０００１】
本考案は、布団を収納し携帯するバッグに関する。より詳しくは幼児のお昼寝用布団を収納・携帯する袋であって、手で下げることも背負うこともできるバッグに関する。
【背景技術】
【０００２】
保育園や幼稚園で使用されるお昼寝布団セットには布製やナイロン製の収納バッグが附属しており、このバッグに収納して保育園等へ携帯している。このタイプのバッグは左右にマチ部を有する上部が開放された横長直方体形状である。
【０００３】
一方、非常時寝具持ち出しを目的として開発された収納袋の発明があり、背負い紐が設けられている。
【先行技術文献】
【特許文献】
【０００４】
【特許文献１】特開２００６−２３８９８５号公報
【考案の概要】
【考案が解決しようとする課題】
【０００５】
お昼寝布団は保育園等で準備されることはなく、個々に用意するとともに、横長の大型バッグに収納して週の始めに保育園へ各自持参し、週末には自宅へ持ち帰らなければならない。ところが子供用の布団であっても嵩張り、一週間分の着替え等その他の荷物も多いのでこれらを一度に運搬する保護者の負担は大きい。子供を自転車に乗せたり、手を引いたりしている場合は尚更である。
【０００６】
また、雨の日などは布団収納バッグが傘からはみ出て布団が濡れてしまうこともある。
【０００７】
非常時の寝具等持ち出し袋の発明である特許文献１では当該寝具等持ち出し袋は非常時のみならず日常的な使用も可能であるとしているが、背負い紐は固定されており手提げバッグ型とリュックサック型との選択的使用は不可能である。
【課題を解決するための手段】
【０００８】
そこで、本考案では、撥水性の有る生地を使用して寝具収納バッグを形成するとともに、縦方向、又は横方向どちらでも把持できる提げ手を取り付け、さらに、背負いベルトを装着できる構成としたのである。
【考案の効果】
【０００９】
収納バッグを横方向に把持する提げ手と縦方向に把持する提げ手を取り付けたことで収納バッグの携帯方法を選択することができる。
【００１０】
背負いベルトを取り付けたことで両手が自由になり、他の荷物が保持可能となり、また子供と手をつなぐこともでき、保育園等へ荷物を持参する際の負担が軽減され、子供の安全管理を図ることができる。電車やバスの中、人混みの中を歩く際にも邪魔にならない。またこの背負いベルトは着脱自在となっており使い勝手が良い。
【００１１】
撥水性又は防水性を有する生地を使用してバッグを形成したため、雨天であっても収納した布団が濡れることがない。横方向に携帯したときでもファスナーで開口部が閉じられているうえに、蓋カバーで上面が覆われているため雨水の侵入を効果的に防ぐことができ
る。
【００１２】
開閉ファスナーを両側面の底部まで延長したことで布団収納バッグを平坦な状態にまで展開することができ布団の出し入れが容易である。ファスナーを覆う様に蓋カバーを取り付けたので安易なファスナーの開閉が不可能となる。特に背負い紐で背部に背負ったときの盗難防止効果が高い。
【００１３】
日常的な保育所等への送迎に使用するだけでなく、非常時の寝具等持ち出し袋としても利用可能である。
【図面の簡単な説明】
【００１４】
【図１】本考案に係るお昼寝布団収納バッグの斜視図である。
【図２】背負いベルトを取り付けた状態を示す説明図である。
【図３】本考案に係るお昼寝布団収納バッグの側面図である。
【図４】内部に収納ポケットを形成した状態を示す説明図である。
【図５】肩当てクッションを取り付けた背負い紐の他の実施例を示す斜視図である。
【考案を実施するための形態】
【００１５】
本考案の最適な実施形態について図面を参照しながら詳説する。
【００１６】
図１は本考案に係るお昼寝布団収納バッグ１（以下「収納バッグ」と略す）の斜視図である。収納バッグ１は所定の幅を有する底面部１２と、底面部の幅と同一の幅を有するマチ部１１を有する横長直方体形状の袋体であって、上面の開放部を覆う蓋カバー２を背面部１２から延設する。
【００１７】
収納バッグ１の素材は防水又は撥水加工された布又はビニルなどであるが特にこれらに限定されるものではなく、雨天時に収納した布団を濡らさずに携帯できる素材であればどのようなものでも利用可能である。さらには洗濯可能で乾燥容易であることが好ましい。
【００１８】
収納バッグ１の左右の両側部及び上面にわたる適当な幅を有するマチ部１１を形成し、当該マチ部１１の中央を縦断するようにファスナー３を配置する。
【００１９】
一般的な子供用布団収納バッグは上部が開放された袋状であるため収納物が外部から視認容易で、収納物の落下のおそれもあるが、本考案の収納バッグ１は開口部にファスナー３を取り付けたことで荷物を確実に収納することができる。開閉手段はファスナーに限定されることなく、確実に開口部を閉じることができれば他の手段であってもかまわない。
【００２０】
さらに蓋カバー２で収納バッグ１の上面を覆っているため雨水の侵入をより効果的に防ぐことができるのである。
【００２１】
また後述の背負いベルトを使用してリュックサック型で収納バッグ１を携帯する場合であっても荷物の落下を防止するだけでなく、蓋カバー２がファスナー３を覆っているために安易なファスナーの開閉、すなわち、背後からの盗難防止効果も発揮する。
【００２２】
ファスナー３は左右のマチ部１１の底面部近くまで延長して取り付けることで、収納バッグ１を大きく開閉することができ布団の出し入れが容易となる。
【００２３】
収納バッグ１には一対の提げ手９−９が取り付けられており、相互に連結して一本の持ち手とするために提げ手９の内側にホック４−４等の連結部材を取り付ける。
【００２４】
一方、背面部１３とマチ部１２との間にも提げ手１０を形成する。この提げ手１０は収納バッグ１を縦方向にして把持するとき使用するものである。また附属の背負いベルトを挿通するときの環状部材としても使用できる。
【００２５】
図２が提げ手１０に背負いベルト７を挿通して係止させた状態を示す説明図である。背負いベルト７の両端部は図５に示すようにバックルの雄部８−８となっており、また、使用者の体型に合わせて長さ調節も可能である。収納バッグ１の背面部１２の提げ手１０の取り付け位置と対向する側縁端部に背負いベルト７の端部を取り付け係止する、バックル雌部８‘−８’があらかじめ取り付けられている。
【００２６】
背負いベルトの取り付け部材はこのバックル形状に限定されるものではなく、例えばカラビナ状部材であってもかまわない。
【００２７】
背負いベルト７は図２に示すように肩に当接する箇所を幅広に形成して肩への食い込みを低減しているが、図５に示すようなスポンジ等を内装した肩当てクッション１４を取り付けても良い。
【００２８】
本考案に係る収納バッグ１は通常のお昼寝布団収納バッグと異なり、開閉ファスナーを取り付け、さらに蓋カバーを設けたことで、提げ手９を使用してバッグを横方向に携帯することは勿論、提げ手１０で縦方向に携帯することも自在である。さらには、背負いベルト７を使用して縦方向に配置して背負うことも可能である。
【００２９】
収納バッグ１を背負うことで両手が解放され布団収納袋によって体の自由が妨げられることなく、他の荷物を持つことができるし、子供と手をつなぐこともできる。
【００３０】
特に雨天時は傘を差さなくてはならず、横方向に布団収納バッグを携帯すると傘からはみ出した部分がどうしても濡れてしまうという問題があったが、収納バッグを背負うことでこの問題が解決できるのである。
【００３１】
蓋カバー２の裏面には複数個所係止部材を取り付けて本体へと着脱自在に係止することができるので提げ手９で携帯するときも、また背負い紐で、収納バッグ１を縦方向に携帯するときでも蓋部カバーが開いて邪魔になることがない。本考案では係止部材として面状ファスナー５を使用している。
【００３２】
本考案の収納バッグ１の蓋カバー２はネームプレート挿入ポケット６を有する。当該ネームプレート挿入ポケット６は透明ビニル製で、当該収納バッグが誰の所有物が判別容易となる。これは日常の使用時のみならず非常時にも有効に機能すると思われる。すなわち、災害などで被災し避難所等への非難する時は混乱が生じていると予想されるが、その際に氏名のほかに連絡先などの書誌的事項を記載したものを挿入して表示できるのである。
【００３３】
この実施形態ではネームプレー挿入ポケット６を蓋カバーに形成しているが、形成場所は、これに限定されるものではない。
【００３４】
収納バッグ１の内側に適宜、適当な大きさの内ポケット１５を形成すると、子供のハンカチや着替えなどの小物類も併せて収納し持ち運ぶことができる。
【００３５】
子供用の布団を三つ折りにして収納後、ファスナー３を閉じてさらに収納バッグ上面を蓋カバー２で覆う。提げ手９の内側に取り付けた係止部材４−４を連結させて提げ手を一つにして収納バッグを横方向にして携帯するのである。この状態で直ちに縦方向にして提げ手１０をもって携帯することも可能である。
【産業上の利用可能性】
【００３６】
本考案に係るお昼寝布団収納バッグは保育園や幼稚園へ子供用布団を運搬する際に利用することができる。さらにはレジャー用のマットや非常時の持ち出し袋としても活用できるのである。
【符号の説明】
【００３７】
１、収納バッグ
２．蓋カバー
３、ファスナー
４、ホック
５、面状ファスナー
６、ネームプレート挿入ポケット
７、背負いベルト
８、バックル（雄型）
８’、バックル（雌型）
９、提げ手（大）
１０、提げ手（小）
１１、マチ部
１２、底面部
１３、背面部
１４、肩当てクッション
１５、内ポケット
【図１】
0003218982.tif 000003
【図２】
0003218982.tif 000004
【図３】
0003218982.tif 000005
【図４】
0003218982.tif 000006
【図５】
0003218982.tif 000007
【手続補正書】
【提出日】平成30年9月21日(2018.9.21)
【手続補正１】
【補正対象書類名】実用新案登録請求の範囲
【補正対象項目名】全文
【補正方法】変更
【補正の内容】
【実用新案登録請求の範囲】
【請求項１】
横長直方体形状の寝具収納携帯バッグであって、
開閉部材を取り付けた、左右側面から上面にわたるマチ部と、
上面を覆う蓋部を有し、
提げ手を寝具収納携帯バッグ本体の長辺方向と短辺方向に取り付け、
短辺方向の提げ手を介して背負いベルトを着脱自在に取り付ける、背負いベルト連結部材を寝具収納携帯バッグ本体に取り付けたことを特徴とする寝具収納携帯バッグ。
【請求項２】
撥水性又は防水性を有する素材から成る請求項１記載の寝具収納携帯バッグ。